(57)【特許請求の範囲】
【請求項１】
内側穴（２０）を有する平坦なリングばね（１１）を含む雌部品（２）、及び前記リングばね（１１）と係合する雄部ステム（５）を有する雄部品（４）を備える種類のスナップ・ファスナにおいて、
前記スナップ・ファスナは、前記雄部ステム（５）と前記リングばね（１１）との間にボタン留め力とボタン外し力とを差異化した係合手段を更に備え、
前記係合手段は、前記リングばね（１１）を収容するために、外側の肩部（１２）及び内側の肩部（１３）により形成されるチャンバ（１０）を備え、
前記外側の肩部（１２）の長さ（Ｌ１）は、前記内側の肩部（１３）の長さ（Ｌ２）より長く、
前記リングばね（１１）の長さ（Ｌ３）は、前記外側の肩部（１２）の長さ（Ｌ１）に等しく、
前記スナップ・ファスナの係合を容易にするために、
前記リングばね（１１）の内周部の厚さを外周部の厚さより薄くし、
内周部を薄くされた前記リングばね（１１）の形状に合致するように、前記外側の肩部（１２）の内周部を内側方向へ変移させ、及び
前記リングばね（１１）は、内側穴（２０）の縁部（１９）で前記外側の肩部（１２）から突出する、ことを特徴とするスナップ・ファスナ。
【請求項２】
より長い前記外側の肩部（１２、１２ａ、１２ｂ）は、対応するより短い自由部分（１５、１５ａ、１５ｂ）を前記リングばね（１１、１１ａ、１１ｂ）上に残すこと、及びより短い前記内側の肩部（１３、１３ａ、１３ｂ）は、対応するより長い自由部分（１４、１４ａ、１４ｂ）を前記リングばね（１１、１１ａ、１１ｂ）上に残すこと、を特徴とする、請求項１に記載のスナップ・ファスナ。
【請求項３】
前記雌部品（２）は、２つの雌本体（２ａ、２ｂ）を備え、各前記２つの雌本体（２ａ、２ｂ）は、対応するばね（１１ａ、１１ｂ）を収容する内側チャンバ（１０ａ、１０ｂ）を画定することを特徴とする、請求項２に記載のスナップ・ファスナ。
【請求項４】
前記チャンバ（１０ａ、１０ｂ）は、異なる長さを有するチャンバ肩部、即ち、ボタン留め側により長い外側のチャンバ肩部（１２ａ、１２ｂ）及び反対側により短い内側のチャンバ肩部（１３ａ、１３ｂ）をそれぞれ備えることを特徴とする、請求項３に記載のスナップ・ファスナ。
【請求項５】
前記ばね（１１ａ、１１ｂ）は、より長い自由部分（１４ａ、１４ｂ）及びより短い自由部分（１５ａ、１５ｂ）を備え、前記雌本体（２ａ、２ｂ）内での前記ステム（５）との係合は、前記より長い自由部分（１４ａ、１４ｂ）によって促進され、前記ステム（５）係合側のばね（１１ａ、１１ｂ）のより短い自由部分（１５ａ、１５ｂ）は、ボタン外しに対する抵抗を強化することを特徴とする、請求項４に記載のスナップ・ファスナ。
【発明の詳細な説明】
【技術分野】
【０００１】
本発明は、ボタン留め、ボタン外し力を差異化した雌部品を有するスナップ・ファスナに関する。
【背景技術】
【０００２】
本発明の分野は、スナップ・ファスナ雄部品のステムがスナップ・ファスナ雌部品内に係合され、保持ばねによってスナップ・ファスナ雌部品内に保持される自動スナップ・ファスナの分野である。
【０００３】
そのようなデバイスでは、ボタン留め動作を妨げることなく、スナップ・ファスナの所与の抵抗をスナップ・ファスナの「開放」、またはボタン外しに対して与える必要があるが、この「開放」は、むしろできる限り迅速で簡単であるべきである。
【０００４】
市販のスナップ・ファスナは、ボタン留め力とボタン外し力との間に何ら差を与えておらず、そのためにスナップ・ファスナを開放又は外すのに必要な力は、通常、スナップ・ファスナの閉鎖又はボタン留めに必要な力とほぼ同じである。
【０００５】
しかし、上記の従来のスナップ・ファスナは、閉鎖後しっかりと締結すべきであるため、ボタン留め力は比較的強いものであり、そのために、主に付勢当接部のない位置又は緩衝当接部を有する位置ではスナップ・ファスナの閉鎖又はボタン留め動作をかなり困難なものにするという欠点を有する。
【０００６】
特許文献１は、スナップ・ファスナ雌部品ばねを含むチャンバの反対側の肩部同士が実質的に同様の長さを有するため、スナップ・ファスナのステムが雌部品内に係合すると、もっぱら径方向にばね変形が拡張する、スナップ・ファスナを開示している。
【０００７】
特許文献２は、チャンバ内に収容したばねを含むスナップ・ファスナを開示しており、このチャンバは、ボタン留め側に、反対側の対応する肩部よりも短い肩部を有する。この従来のスナップ・ファスナは、比較的強い閉鎖力、またはボタン留め力を必要とするので、前記ばねは、一体型弾性変形可能舌部により形成され、スナップ・ファスナの閉鎖動作を容易にするように設計されている一方で、しかしながら、スナップ・ファスナの予期しない不要な開放に対してスナップ・ファスナの締付け具合又は力が弱いという欠点を有する。
【先行技術文献】
【特許文献】
【０００８】
【特許文献１】ＵＳ２０１４／１０９３５２Ａ１
【特許文献２】ＥＰ２４４１３４０Ａ１
【発明の概要】
【発明が解決しようとする課題】
【０００９】
したがって、本発明の主な目的は、従来の同様のファスナとは異なり、スナップ・ファスナの閉鎖又はボタン留め状態時に締付け具合に悪影響を与えることなくボタン留め動作を容易にする新規なスナップ・ファスナを提供することである。
【００１０】
本発明の別の目的は、単純な構造及びわずかな厚みをもち、低い製造コストで容易に製造できるそのようなスナップ・ファスナを提供することである。
【課題を解決するための手段】
【００１１】
上述及び更に他の目的は、請求項１に記載の本発明のスナップ・ファスナによって達成される。
【００１２】
本発明の好ましい実施形態は、従属請求項で請求する。
【００１３】
従来のスナップ・ファスナに対して、本発明のスナップ・ファスナは、本発明のスナップ・ファスナが非常にわずかなボタン留め力しか必要としないという利点をもたらし、このボタン留め力は、ボタン外しに必要な力よりもかなりわずかである。
【００１４】
したがって、スナップ・ファスナの閉鎖又はボタン留め動作を簡単、容易にする一方で、スナップ・ファスナ雄部品と雌部品とをボタン留めした後に緊密な閉鎖を実現する。
【００１５】
本発明の上記及び更に他の目的、利点及び特徴は、本発明の好ましい実施形態の以下の開示からより明らかになるであろう。本発明の好ましい実施形態は、添付の図面の図において非限定例として示される。
【図面の簡単な説明】
【００１６】
【図１】本発明によるスナップ・ファスナの第１の実施形態の分解断面図である。
【図２】図１に示すスナップ・ファスナ雌部品のリング又は環状ばねを示す斜視図である。
【図３】図１に示すスナップ・ファスナ雌部品の蓋型本体の詳細図である。
【図４】ボタン留め動作中の図１のスナップ・ファスナを示す図である。
【図５】ボタン外し動作中の図１のスナップ・ファスナを示す図である。
【図６】２つの雌構成要素を含むスナップ・ファスナ雌部品を示す分解断面図である。
【図７】図６に示す雌部品を含むスナップ・ファスナを示す図である。
【図８】図１のスナップ・ファスナの修正実施形態を示す図である。
【図９】本発明によるスナップ・ファスナの更なる修正実施形態を示す図である。
【図１０】本発明によるスナップ・ファスナの更なる修正実施形態を示す図である。
【発明を実施するための形態】
【００１７】
図１において参照番号１により全体が示してある本発明によるスナップ・ファスナは、クランプ止め頭部３によって（布又は他の材料のいずれかである）第１の支持フラップ７上にクランプ止めしたスナップ・ファスナ雌部品２を備える。
【００１８】
スナップ・ファスナ１の雄部品４は、上記雌部品２と協働し、前記雄部品は、雄部品ステム５を含み、クランプ止め要素６によって第２の支持部８上にクランプ止めされる。
【００１９】
より具体的には、前記雌部品２は蓋型本体９を備え、蓋型本体９は、好ましくはプラスチック材料のリング要素（図２を参照）から製造したばね１１を保持する保持チャンバ１０を中に画定する。
【００２０】
図３及び図４にはっきりと示すように、蓋型本体９のチャンバ１０は、雄部品係合側に長さ部Ｌ１を有する肩部１２、及び反対側に長さ部Ｌ２を有する更なる肩部１３を備え、前記長さ部Ｌ１は、前記長さ部Ｌ２よりも長い。
【００２１】
蓋型本体９の肩部１２及び１３の上記異なる長さは、チャンバ１０に収容したばね１１に、対応するばね自由部分、即ち肩部１３側のより長い部分１４、及び肩部１２側のより短い部分１５のそれぞれをもたらす。
【００２２】
したがって、上記の実施形態では、図４及び図５に示すように、ステム５を雌部品２内に係合する（図４の矢印Ｆ１を参照）場合のばね１１の変形は、前記ばね１１のより長い長さの自由部分１４によって促進される。
【００２３】
反対に、ステム５係合側の前記ばね１１のより短い長さの自由部分１５は、ボタン外しに対し強化した、又はより高い抵抗をもたらすことになり（図５の矢印Ｆ２を参照）、それによって、ボタン留め動作に必要であるよりわずかな力と差異化される。
【００２４】
有利には、図９及び図１０にはっきりと示すように、環状ばね１１の長さ部Ｌ３は、本発明のスナップ・ファスナ雌部品２の蓋型本体９のチャンバ１０の肩部１２の長さ部Ｌ１に実質的に等しく、前記環状ばね１１の内側穴２０の縁部１９でのみ前記肩部１２から突出する。したがって、ばね１１を覆う肩部１２の部分Ｌ１は前記ばねを補強することになり、ばねがあらゆるボタン外し力を効果的に妨害することを可能にする。一方、ボタン留め動作では、スナップ・ファスナ雄部品４のステム５は、ばね１１の自由縁部１９と接触することになり、それによりステム５及びばね１１の相互の芯合せ及び結合を促進する。
【００２５】
図６及び図７に示す修正実施形態では、雌部品２は、２つの雌本体２ａ、２ｂを備え、これら雌本体２ａ、２ｂは、本体２ｂの対応する座１７内にクランプ止めした本体２ａの鋭い部分又は先端部１６によって互いに結合できる。
【００２６】
各前記雌本体２ａ、２ｂは、対応するばね１１ａ、１１ｂを収容する内側チャンバ１０ａ、１０ｂを形成する。
【００２７】
前記チャンバ１０ａ、１０ｂはそれぞれ、異なる長さの肩部、即ちボタン留め側により長い肩部１２ａ、１２ｂ、その反対側により短い肩部１３ａ、１３ｂも備える。
【００２８】
上記の構成は、それぞれのばね１１ａ、１１ｂ上により長いばね自由部分１４ａ、１４ｂ及びより短いばね自由部分１５ａ、１５ｂをもたらし、図４及び図５の実施形態に関して既に開示した動作の効果を有する。
【００２９】
本発明は、上記で開示したように、いくつかの修正形態及び変形形態が可能であり、これらの全ては、以下の特許請求の範囲内にある。
【００３０】
したがって、具体的には図８に示すように、ループ又はリング要素１１は、スナップ・ファスナ雄部品の係合を容易にする傾斜した壁の勾配付き部分１８を有する。
【００３１】
更に、リング又はループ要素１１は、例えば添付の図９及び図１０に示すように、スナップ・ファスナ雌部品本体９のチャンバ１０の対応する構成に応じて、異なる構成で製造もできる。
【符号の説明】
【００３２】
２  雌部品
４  雄部品
５  雄部品ステム
１０  チャンバ
１１  リングばね
１２  肩部
１３肩部
１４ａ  より長いばね部分
１５ａ  より短いばね部分
１６  先端部
１７  座
１８  勾配付き部分
【図１】
0006804829.tif 000002
【図２】
0006804829.tif 000003
【図３】
0006804829.tif 000004
【図４】
0006804829.tif 000005
【図５】
0006804829.tif 000006
【図６】
0006804829.tif 000007
【図７】
0006804829.tif 000008
【図８】
0006804829.tif 000009
【図９】
0006804829.tif 000010
【図１０】
0006804829.tif 000011